(57)【要約】【課題】利用者にとって広告効果が高い懸賞情報を利用した広告配信システム及びその方法を提供する。【解決手段】広告情報及びゲーム情報が出力される利用者端末３０と、ウェブサイトを提供する管理サーバ２０と、利用者端末３０に出力される広告情報及び配信料情報を管理サーバ２０に入力する広告配信者端末１０とが通信ネットワーク５０を介して接続された懸賞情報を利用した広告配信システムであって、管理サーバ２０は、利用者端末３０から項目情報の選択に基づき、ゲーム、メール送受信、検索処理、広告配信のいずれか１つの処理が開始され、ゲーム結果を利用者端末３０に出力する広告配信管理処理手段Ｍ１５と、配信料情報入力後、予め設定された条件に基づき、賞金情報および配当金情報を算出する賞金管理処理手段Ｍ１６とを備える【選択図】        図１
2007066120.tif 000002
【特許請求の範囲】
【請求項１】
広告情報及びゲーム情報が出力される利用者端末と、前記利用者端末に通信ネットワークを介して接続され、ウェブサイトを提供する管理サーバと、前記利用者端末に出力される広告情報及び配信料情報を前記管理サーバに入力する広告配信者端末とが通信ネットワークを介して接続された懸賞情報を利用した広告配信システムであって、
前記管理サーバは、
前記利用者端末から項目情報の選択に基づき、ゲーム、メール送受信、検索処理、広告配信のいずれか１つの処理が開始され、ゲーム結果を前記利用者端末に出力する広告配信管理処理手段と、
前記配信料情報入力後、予め設定された条件に基づき、賞金情報および配当金情報を算出する賞金管理処理手段と、
を備えることを特徴とする、懸賞情報を利用した広告配信システム。
【請求項２】
広告情報及びゲーム情報が出力される利用者端末と、前記利用者端末に出力されるウェブサイトを提供するリンク提供サーバと、前記リンク提供サーバからリンク誘導情報が入力される管理サーバと、前記利用者端末に出力される広告情報及び配信料情報を前記管理サーバに入力する広告配信者端末とが通信ネットワークを介して接続された懸賞情報を利用した広告配信システムであって、
前記管理サーバは、
予め設定された第１の条件に基づき広告情報を前記リンク誘導情報に割り当てるリンク設定管理処理手段と、
リンク設定と同時またはリンク設定後、前記利用者端末から項目情報の選択に基づき、ゲーム、メール送受信、検索処理、広告配信のいずれか１つの処理が開始され、ゲーム結果を前記利用者端末に配信し、配信終了と同時または配信後、前記リンク誘導情報を前記利用者端末に送信し、リンク終了後、予め設定された第２の条件に基づきリンク設定解除を予告した後、リンク設定解除を通知し、リンクを終了する、又は、リンク再更新設定を行う広告配信管理処理手段と、
前記配信料情報入力後、予め設定された条件に基づき、賞金情報および配当金情報を算出する賞金管理処理手段と、
を備えることを特徴とする、懸賞情報を利用した広告配信システム。
【請求項３】
前記管理サーバは、
前記リンク提供サーバから前記管理サーバに入力された１又は複数の前記リンク誘導情報を予め設定された第３の条件に基づき前記管理サーバに割りあて、登録を開始し、及び／又は、登録更新処理を行うリンク誘導情報登録処理手段
をさらに含むことを特徴とする、請求項２に記載の懸賞情報を利用した広告配信システム。
【請求項４】
予め設定された条件に基づき前記広告情報が入力され、登録が開始され、及び／又は、登録更新処理が行われる広告情報登録処理手段を含むことを特徴とする、請求項１から３のいずれか１項に記載の懸賞情報を利用した広告配信システム。
【請求項５】
予め設定された条件に基づき、広告配信処理後に当選権利を確定する当選者管理処理手段を含むことを特徴とする、請求項１から４のいずれか１項に記載の懸賞情報を利用した広告配信システム。
【請求項６】
前記管理サーバは、
前記広告配信者端末に対して、リンク設定料の支払請求と、及び／又は、管理料の支払請求を出力する広告主向料金管理処理手段
をさらに含むことを特徴とする、請求項１から５のいずれか１項に記載の懸賞情報を利用した広告配信システム。
【請求項７】
前記管理サーバは、
前記リンク提供サーバに対して、利用料の支払請求と、及び／又は、管理料の支払請求を出力し、
前記利用者端末に対して、支払われる賞金情報及び／又は配当金情報の通知を出力するリンク提供者向料金管理処理手段
をさらに含むことを特徴とする、請求項１から６のいずれか１項に記載の懸賞情報を利用した広告配信システム。
【請求項８】
前記リンク提供者向料金管理処理手段は、
前記広告配信者端末及び／または前記利用者端末から前記利用料の利用種別が入力されることを特徴とする、請求項７に記載の懸賞情報を利用した広告配信システム。
【請求項９】
前記利用種別は、金銭・サービス・権利・商品のいずれか１つまたは複数の組み合わせからなることを特徴とする、請求項８に記載の懸賞情報を利用した広告配信システム。
【請求項１０】
前記広告配信管理処理手段は、
リンク提供サイト上にリンク誘導手段を出力する、又は、広告情報にリンク誘導手段を出力する手段
を含むことを特徴とする、請求項１から９のいずれか１項に記載の懸賞情報を利用した広告配信システム。
【請求項１１】
前記利用者端末は、
前記管理サーバまたは前記リンク提供サーバに接続されることを特徴とする、請求項１から１０のいずれか１項に記載の懸賞情報を利用した広告配信システム。
【請求項１２】
前記広告配信管理処理手段は、
前記広告情報を前記利用者端末ごとに選択して配信する手段
を含むことを特徴とする、請求項１から１１のいずれか１項に記載の懸賞情報を利用した広告配信システム。
【請求項１３】
前記管理サーバは、
前記リンク提供サイトに表示された前記リンク誘導手段の選定に基づき、前記リンク誘導情報を含む広告情報を前記リンク誘導手段にリンク設定し、選定された前記リンク誘導手段にリンクされていたウェブサイトを出力するまでの間に前記広告情報を配信する手段
を含むことを特徴とする、請求項１から１２のいずれか１項に記載の懸賞情報を利用した広告配信システム。
【請求項１４】
前記広告配信管理処理手段は、
前記広告配信者端末から入力された１または複数の前記広告情報および前記リンク誘導情報を、前記利用者端末から入力された前記リンク誘導手段選定ごとに、予め設定された第４の条件に基づき複数の前記利用者端末へ配信する手段
を含むことを特徴とする、請求項１から１３のいずれか１項に記載の懸賞情報を利用した広告配信システム。
【請求項１５】
前記管理サーバは、
前記リンク誘導手段の予め設定された第５の条件に基づき、前記広告情報及び前記リンク誘導情報を割り当てる手段を含むことを特徴とする、請求項１から１４のいずれか１項に記載の懸賞情報を利用した広告配信システム。
【請求項１６】
広告情報及びゲーム情報が出力される利用者端末と、前記利用者端末に通信ネットワークを介して接続され、ウェブサイトを提供する管理サーバと、前記利用者端末に出力される広告情報及び配信料情報を前記管理サーバに入力する広告配信者端末とが通信ネットワークを介して接続された懸賞情報を利用した広告配信方法であって、
前記管理サーバは、
前記利用者端末から項目情報の選択に基づき、ゲーム、メール送受信、検索処理、広告配信のいずれか１つの処理が開始され、ゲーム結果を前記利用者端末に出力する出力ステップと、
前記配信料情報入力後、予め設定された条件に基づき、賞金情報および配当金情報を算出する算出ステップと、
を備えることを特徴とする、懸賞情報を利用した広告配信方法。
【請求項１７】
広告情報及びゲーム情報が出力される利用者端末と、前記利用者端末に出力されるウェブサイトを提供するリンク提供サーバと、前記リンク提供サーバからリンク誘導情報が入力される管理サーバと、前記利用者端末に出力される広告情報及び配信料情報を前記管理サーバに入力する広告配信者端末とが通信ネットワークを介して接続された懸賞情報を利用した広告配信方法であって、
前記管理サーバは、
予め設定された条件に基づき広告情報を前記リンク誘導情報に割り当てるリンク設定ステップと、
リンク設定と同時またはリンク設定後、前記利用者端末から項目情報の選択に基づき、ゲーム、メール送受信、検索処理、広告配信のいずれか１つの処理が開始され、ゲーム結果を前記利用者端末に出力し、出力終了と同時または出力後、前記リンク誘導情報を前記利用者端末に送信し、リンク終了後、予め設定された条件に基づきリンク設定解除を予告した後、リンク設定解除を通知し、リンクを終了する、又は、リンク再更新設定を行う広告配信ステップと、
前記配信料情報入力後、予め設定された条件に基づき、賞金情報および配当金情報を算出する算出ステップと、
を備えることを特徴とする、懸賞情報を利用した広告配信方法。
【請求項１８】
前記管理サーバは、
前記リンク提供サーバから前記管理サーバに入力された１又は複数の前記リンク誘導情報を予め設定された第３の条件に基づき前記管理サーバに割りあて、登録を開始し、及び／又は、登録更新処理を行うステップ
をさらに含むことを特徴とする、請求項１７に記載の懸賞情報を利用した広告配信方法。
【請求項１９】
予め設定された条件に基づき前記広告情報が入力され、登録が開始され、及び／又は、登録更新処理が行われる登録ステップを含むことを特徴とする、請求項１６から１８のいずれか１項に記載の懸賞情報を利用した広告配信方法。
【請求項２０】
予め設定された条件に基づき、広告配信処理後に当選権利を確定するステップを含むことを特徴とする、請求項１６から１９のいずれか１項に記載の懸賞情報を利用した広告配信方法。
【請求項２１】
前記管理サーバは、
前記広告配信者端末に対して、リンク設定料の支払請求と、及び／又は、管理料の支払請求を出力するステップ
をさらに含むことを特徴とする、請求項１６から２０のいずれか１項に記載の懸賞情報を利用した広告配信方法。
【請求項２２】
前記管理サーバは、
前記リンク提供サーバに対して、利用料の支払請求と、及び／又は、管理料の支払請求を出力し、
前記利用者端末に対して、支払われる賞金情報及び／又は配当金情報の通知を出力するステップ
をさらに含むことを特徴とする、請求項１６から２１のいずれか１項に記載の懸賞情報を利用した広告配信方法。
【請求項２３】
リンク提供者向料金管理処理手段は、
前記広告配信者端末及び／又は前記利用者端末から前記利用料の利用種別が入力されることを特徴とする、請求項２２に記載の懸賞情報を利用した広告配信方法。
【請求項２４】
前記利用種別は、金銭・サービス・権利・商品のいずれか１つまたは複数の組み合わせからなることを特徴とする、請求項２３に記載の懸賞情報を利用した広告配信方法。
【請求項２５】
広告配信ステップは、
リンク提供サイト上にリンク誘導手段を出力する、又は、広告情報にリンク誘導手段を出力するステップ
を含むことを特徴とする、請求項１６から２４のいずれか１項に記載の懸賞情報を利用した広告配信方法。
【請求項２６】
前記利用者端末は、
前記管理サーバまたは前記リンク提供サーバに接続されることを特徴とする、請求項１６から２５のいずれか１項に記載の懸賞情報を利用した広告配信方法。
【請求項２７】
前記広告配信ステップは、
前記広告情報を前記利用者端末ごとに選択して配信するステップ
を含むことを特徴とする、請求項１６から２６のいずれか１項に記載の懸賞情報を利用した広告配信方法。
【請求項２８】
前記管理サーバは、
前記リンク提供サイトに表示された前記リンク誘導手段の選定に基づき、前記リンク誘導情報を含む広告情報を前記リンク誘導手段にリンク設定し、選定されたリンク誘導手段にリンクされていたウェブサイトを出力するまでの間に前記広告情報を配信するステップ
を含むことを特徴とする、請求項１６から２７のいずれか１項に記載の懸賞情報を利用した広告配信方法。
【請求項２９】
前記広告配信管理処理手段は、
前記広告配信者端末から入力された１または複数の前記広告情報および前記リンク誘導情報を、前記利用者端末から入力されたリンク誘導手段選定ごとに、予め設定された第４の条件に基づき複数の前記利用者端末へ配信するステップ
を含むことを特徴とする、請求項１６から２８のいずれか１項に記載の懸賞情報を利用した広告配信方法。
【請求項３０】
前記管理サーバは、
リンク誘導手段の予め設定された第５の条件に基づき、前記広告情報及び前記リンク誘導情報を割り当てるステップを含むことを特徴とする、請求項１６から２８のいずれか１項に記載の懸賞情報を利用した広告配信方法。
【請求項３１】
利用者端末からの電気信号を受けつけ、
カテゴリ詳細部を前記利用者端末に表示させ、
前記カテゴリ詳細部への電気信号に基づき、前記利用者端末に広告情報を配信させることを特徴とする、懸賞情報を利用した広告配信プログラム。
【発明の詳細な説明】
【技術分野】
【０００１】
この発明は、懸賞情報を利用した広告配信システム及びその方法に関する。より詳細には、広告効果の高い広告配信システム及びその方法に関する。
【背景技術】
【０００２】
近年、企業は自社のホームページを閲覧してもらう機会を増やすために、動画、静止画、テキスト型のバナー等を使用し、それらを検索エンジン等のアクセス数の多いウェブサイトに表示し、自社のホームページへ誘引する方法を利用している。さらに、バナー広告等には、企業が提供する懸賞を表示し、より高い誘引効果を得ようとするものもある。
【０００３】
図１６は、特許文献１に示す広告配信システムの概念図である。図１６に示す利用者端末から引かれた破線の先に記載される枠は、広告配信サーバから提供されるウェブサイトを示している。そして、図１６は、白抜きの矢印に従い、利用者端末に表示されるウェブサイトが変遷する様子を示している。なお、ウェブサイト上に表示される矢印は利用者端末のマウスポインタを示している。
【０００４】
まず、利用者端末は広告配信サーバと通信を行う。広告配信サーバは、利用者端末に対し、広告配信サーバが有するウェブサイトの情報を利用者端末に送信し、利用者端末がウェブサイトを出力する。広告配信サーバが有するウェブサイト（○○サイト）には、ボタン等のリンク誘導手段が表示され、図１６に示す「＊＊＊」がリンク誘導手段に該当する。なお、このリンク誘導手段が表示される数は限定されているものでない。
【０００５】
また、リンク誘導手段は、例えば、動画や静止画、テキストなどのバナー広告、ウェブサイト上に表示されるボタン、チェックボックス、ＵＲＬ(Uniform Resource Locator)、サムネイル（写真画像）、映像、設定時間、利用者による任意割当て、プログラムに基づく自動割当（商品、景品、文章、映像、写真、アンケート、キーワード、ゲーム、ダウンロード、メール送受信など）がある。
【０００６】
さらに、リンク誘導手段を利用者端末から操作することにより、利用者が閲覧を望むウェブサイトを利用者端末に送信し、利用者端末がそれを受信する。図１６に示す白抜きの矢印で指し示され、「＊＊＊サイト」と表示される長方形の枠は、広告配信サーバによって開設されたウェブサイト上で、利用者が「○○サイト」上の「＊＊＊」を選択し、その結果、リンク設定されたウェブサイトを表示するものである。
【０００７】
したがって、例えば、広告配信サーバのウェブサイトに表示されるバナー広告を、利用者がクリックすると、広告配信サーバの管理者によって設定されたウェブサイトが利用者端末に表示される。
【０００８】
上述した「○○サイト」から「＊＊サイト」の変遷の間に、特許文献１では、広告情報を出力する広告配信システムを開示している。この発明は、利用者がウェブサイトを閲覧している途中で広告情報を配信できるようにして、配信された広告情報を利用者に確実に見てもらえるようにする発明である。
【０００９】
特許文献１で開示される発明では、広告配信装置（サーバ）にウェブサイトの情報を有するコンテンツＤＢ（データベース）と、広告情報を有する広告ＤＢとを備え、設定された時間に基づいてＵＲＬ切替部が上記のデータベースを切り替えて、広告情報を配信するものである。これにより、テレビ番組の放送中に流すテレビＣＭと同様のイメージで、広告情報の配信を行うことができる。
【特許文献１】特開２００２−８３２１２号公報（第１頁  要約及び選択図）
【発明の開示】
【発明が解決しようとする課題】
【００１０】
しかしながら、特許文献１に開示される発明では、例えば、広告主が高額の費用を投資し、広告を作成し、その広告情報を配信しても、利用者の閲覧が少ないウェブサイトに広告情報を配信する場合は、その広告効果が薄いという問題点がある。実際に、利用者が興味を抱いていると思われる内容に的を絞って広告情報を出力したほうが、広告の効果は高いといえる。
【００１１】
本発明は上述した問題点に鑑みてなされたものであり、インターネット上において、利用者にとって広告効果が高い広告情報リンク管理システム及びその方法を提供する。さらに、ウェブサイトが閲覧されている間のみならず、ウェブサイトが切り替わる間に、広告情報を配信するシステム及びその方法を提供する。
【課題を解決するための手段】
【００１２】
上記課題を解決するため、本発明では、以下のような手段をとる。なお、以下に記載するコンピュータシステムは、複数のコンピュータ、及び、それらのコンピュータ間をつなぐネットワークを含むものである。
【００１３】
懸賞とは、あるものを募り、また人や物を探すために掛けられた商品、サービスや賞金をいう。さらに、懸賞提供情報とは、商品又はサービス等の提供情報を示す。具体的には、商品又はサービス等の内容、利用期限、数量、場合により写真等を示す商品明細を含む。
【００１４】
管理サーバは、サイトの管理者が直接または間接に管理可能なサーバをいい、１つのサーバで構成される場合のみならず、各処理手段、各データベースの機能をいくつかのサーバに分散して持たせることも可能であり、後者の場合においては、これらのサーバの集合したものを管理サーバと呼ぶ。
【００１５】
リンク提供サイト内での閲覧及び懸賞提供情報問合せの利用には、閲覧、問合せのみならず、その後の、懸賞への参加、商品またはサービスの購入、視聴、例えば、アンケート回答等のマーケティング参加を含む。
【００１６】
広告配信者端末は、広告主が直接または間接に管理可能な携帯端末であって、携帯電話をも含むコンピュータ端末である。さらに、広告主には法人だけでなく、個人も含まれる。
【００１７】
利用者端末は、利用者が直接または間接に管理可能な携帯端末であって、携帯電話をも含むコンピュータ端末である。
【００１８】
リンク提供サーバとは、本発明である広告配信システムの管理者と提携契約を締結する法人または個人の提携者が運営するサーバであって、管理サーバから提供される情報をリンク提供サーバが開設するウェブサイトに表示するサーバである。さらに、リンク提供サーバは、検索エンジンサイト（検索エンジン機能）をも備えており、所定のキーワードをもとに、検索結果一覧が設定された順に表示される。さらに、リンク提供サーバが擬似的に広告配信者端末と化し、広告情報を提供することもできる。
【００１９】
なお、提携者は、本発明である広告配信システムの管理者自身も含まれる概念であってもよい。
【００２０】
さらに、リンク提供サーバに端末を接続し、リンク提供者がその端末を操作し、リンク提供サーバを運用することや、必要なファイルをアップロードすることもできる。
【００２１】
リンク設定とは、広告情報にリンク誘導情報を予め設定された条件に基づき設定することである。リンク誘導情報とは、リンクされる側のウェブサイトのＩＰアドレスやＵＲＬなどが該当する。
【００２２】
さらに、後述する予め設定された第１から第５の条件について詳細に定義する。
【００２３】
予め設定された第１の条件とは、リンク提供者が選択した条件（検索キーワード、メールマガジン配信種別、設定料金、配信広告内容、景品ジャンル、料金、種類、商品等）や、事業者が選択した条件（検索キーワード、メールマガジン配信種別、サイトジャンル、バナー位置、ＰＶＣ・ＢＣＣ数、設定料金、種類）等を条件に任意設定もしくは自動選択により選択される条件である。
【００２４】
予め設定された第２の条件とは、サイト提供者の任意の終了設定条件であり、設定リンク数終了、設定時間経過、広告在庫の終了、ページビュウのカウント数（ＰＶＣ）、バナーのクリックのカウント数（ＢＣＣ）、設定料金（利用限度額、景品購入額）、検索結果が予め設定された表示回数を経過のいずれか１つまたは複数の条件をいう。なお、バナーとは、ウェブサイト上のスペースに表示された静止画、動画、テキスト（文字）およびそれらの組み合わせからなる広告手段である。
【００２５】
予め設定された第３の条件とは、バナーをクリックした回数やページを更新した回数、検索結果の場合は、検索キーワードの一致、メールマガジンの場合は、メールジャンルや配信数が条件であり、例えば、カテゴリ、ジャンル、ＣＭジャンル、提供者による任意条件（リンク希望景品、ジャンル、価格、希望広告ＣＭ、検索キーワード）等、景品登録者またはＣＭ事業者による任意設定の条件である。
【００２６】
予め設定された第４の条件とは、広告配信のジャンルであり、事業者または顧客の任意設定条件である。広告配信のジャンルの選定は、管理者から提供されるクッキーを通じて事業者端末または利用者端末に対して行われる。
【００２７】
なおクッキー（Cookie）とは、ウェブサイトの提供者が、ウェブブラウザを通じて訪問者のコンピュータに一時的にデータを書き込んで保存させる仕組みである。クッキーにはユーザに関する情報や最後にサイトを訪れた日時、そのサイトの訪問回数などを記録しておくことができる。クッキーはユーザの識別に使われ、認証システムや、ワールドワイドウェブ（ＷＷＷ）によるサービスをユーザごとにカスタマイズするパーソナライズシステムの要素技術として利用される。
【００２８】
予め設定された第５の条件とは、リンク提供者が選択した条件（設定料金、配信広告内容、広告配信時間、広告配信数、景品ジャンル、商品ジャンル、サービスジャンル、掲載写真内容、掲載文章内容、アンケート種別、設問数、質問又は回答種別、質問又は回答内容、メールマガジンジャンル、料金、種類、商品、検索キーワード、キャッシュ等）や、広告配信者が選択した条件（検索キーワード、メールマガジン配信種別、サイトジャンル、バナー位置、ＰＶＣ・ＢＣＣ数、設定料金、種類、広告配信数、景品ジャンル、商品ジャンル、サービスジャンル、掲載写真内容、掲載文章内容、アンケート種別、設問数、質問又は回答種別、質問又は回答内容）等を条件に任意設定もしくは自動選択により選択される条件である。
【００２９】
請求項１に記載の発明は、広告情報及びゲーム情報が出力される利用者端末と、利用者端末に通信ネットワークを介して接続され、ウェブサイトを提供する管理サーバと、利用者端末に出力される広告情報及び配信料情報を管理サーバに入力する広告配信者端末とが通信ネットワークを介して接続された懸賞情報を利用した広告配信システムであって、管理サーバは、利用者端末から項目情報の選択に基づき、ゲーム、メール送受信、検索処理、広告配信のいずれか１つの処理が開始され、ゲーム結果を利用者端末に出力する広告配信管理処理手段と、配信料情報入力後、予め設定された条件に基づき、賞金情報および配当金情報を算出する賞金管理処理手段とを備えることを特徴とする。
【００３０】
これによって、管理サーバ内に広告情報が入力・登録され、利用者端末からのゲーム、メール送受信、検索処理、広告配信要求により、広告情報出力が行われる。さらに、広告情報出力と相前後して賞金情報や配当金情報が算出される。このため、広告主にとって広告効果の高い広告配信システムを実現できる。
【００３１】
請求項２に記載の発明は、広告情報及びゲーム情報が出力される利用者端末と、利用者端末に出力されるウェブサイトを提供するリンク提供サーバと、リンク提供サーバからリンク誘導情報が入力される管理サーバと、利用者端末に出力される広告情報及び配信料情報を管理サーバに入力する広告配信者端末とが通信ネットワークを介して接続された懸賞情報を利用した広告配信システムであって、管理サーバは、予め設定された第１の条件に基づき広告情報をリンク誘導情報に割り当てるリンク設定管理処理手段と、リンク設定と同時またはリンク設定後、利用者端末から項目情報の選択に基づき、ゲーム、メール送受信、検索処理、広告配信のいずれか１つの処理が開始され、ゲーム結果を利用者端末に配信し、配信終了と同時または配信後、リンク誘導情報を利用者端末に送信し、リンク終了後、予め設定された第２の条件に基づきリンク設定解除を予告した後、リンク設定解除を通知し、リンクを終了する、又は、リンク再更新設定を行う広告配信管理処理手段と、配信料情報入力後、予め設定された条件に基づき、賞金情報および配当金情報を算出する賞金管理処理手段とを備えることを特徴とする。
【００３２】
これによって、請求項１の発明にリンク提供サーバを追加することによって、利用者端末からのアクセスルートの増加が図れる。管理サーバはリンク提供サーバを経由して利用者端末にゲーム、メール送受信、検索処理、広告配信を送信することが可能であり、予め設定された第２の条件のもと、管理サーバとリンク提供サーバとのリンクを終了することができる。本システムの管理者にとってリンク提供サーバを増加することは、利用者端末を増加することにつながり、広告主にとって広告効果の高い広告配信システムを実現できる。
【００３３】
請求項３に記載の発明は、管理サーバは、リンク提供サーバから管理サーバに入力された１又は複数のリンク誘導情報を予め設定された第３の条件に基づき管理サーバに割りあて、登録を開始し、及び／又は、登録更新処理を行うリンク誘導情報登録処理手段をさらに含むことを特徴とする。
【００３４】
これによって、リンク誘導情報を管理サーバに登録及び／又は登録更新ができる。このため、広告主にとって広告効果の高い広告配信システムを実現できる。
【００３５】
請求項４に記載の発明は、予め設定された条件に基づき広告情報が入力され、登録が開始され、及び／又は、登録更新処理が行われる広告情報登録処理手段を含むことを特徴とする。
【００３６】
これによって、管理サーバに登録されている広告情報だけでなく、広告主から当該広告配信システムに広告情報を入力できる。このため、広告主にとって広告効果の高い広告配信システムを実現できる。
【００３７】
請求項５に記載の発明は、予め設定された条件に基づき、広告配信処理後に当選権利を確定する当選者管理処理手段を含むことを特徴とする。
【００３８】
これによって、ゲームを行った利用者は当選または落選を知ることができ、賞金を獲得する権利を得られるか否かを判断できる。または、ゲームを行わない形態を選択した利用者は、管理サーバが任意に決定し、広告情報出力終了後に表示される当落結果を知ることができ、賞金を獲得する権利を得られるか否かを判断できる。このため、広告主にとって広告効果の高い広告配信システムを実現できる。
【００３９】
請求項６に記載の発明は、管理サーバは、広告配信者端末に対して、リンク設定料の支払請求と、及び／又は、管理料の支払請求を出力する広告主向料金管理処理手段をさらに含むことを特徴とする。
【００４０】
これによって、請求項１から５に記載の発明に広告主向料金管理処理手段を追加することで、管理サーバは広告配信者端末に対し、リンク設定料の支払い請求、及び／又は、管理料の支払い請求をすることができる。このため、広告主にとって広告効果の高い広告配信システムを実現できる。
【００４１】
請求項７に記載の発明は、管理サーバは、リンク提供サーバに対して、利用料の支払請求と、及び／又は、管理料の支払請求を出力し、利用者端末に対して、支払われる賞金情報及び／又は配当金情報の通知を出力するリンク提供者向料金管理処理手段をさらに含むことを特徴とする。
【００４２】
これによって、請求項１から６に記載の発明にリンク提供者向料金管理処理手段を追加することで、管理サーバはリンク提供サーバに対し、情報料の支払い請求、及び／又は、管理料の支払い請求をすることができ、利用者端末に対して、支払われる利用料を通知できる。このため、広告主にとって広告効果の高い広告配信システムを実現できる。
【００４３】
請求項８に記載の発明は、リンク提供者向料金管理処理手段は、広告配信者端末及び／又は利用者端末から利用料の利用種別が入力されることを特徴とする。
【００４４】
これによって、広告主が希望する利用料の支払形態が選択できるとともに、利用者も受領する賞金・配当金の受領形態を選択することが可能となる。このため、広告主にとって広告効果の高い広告配信システムを実現できる。
【００４５】
請求項９に記載の発明は、利用種別は、金銭・サービス・権利・商品のいずれか１つまたは複数の組み合わせからなることを特徴とする。
【００４６】
これによって、利用料は金銭に限られず、商品や、金銭と同等の価値を有するポイントといったサービスや、本発明のシステムの機能を使用するためのアクセス権やダウンロードを許可する権利といった権利とすることが可能となる。このため、広告主にとって広告効果の高い広告配信システムを実現できる。
【００４７】
請求項１０に記載の発明は、広告配信管理処理手段は、リンク提供サイト上にリンク誘導手段を出力する、又は、広告情報にリンク誘導手段を出力する手段を含むことを特徴とする。
【００４８】
これによって、利用者はリンク提供サイトに表示されたバナーなどのリンク誘導手段を操作することができ、また、配信途中の広告情報に対しても利用者はリンク誘導手段を操作することができる。このため、広告主にとって広告効果の高い広告配信システムを実現できる。
【００４９】
請求項１１に記載の発明は、利用者端末は、管理サーバまたはリンク提供サーバに接続されることを特徴とする。
【００５０】
これによって、利用者端末はリンク提供サーバを介して管理サーバに接続することができ、また、直接管理サーバに接続することもできる。このため、広告主にとって広告効果の高い広告配信システムを実現できる。
【００５１】
請求項１２に記載の発明は、広告配信管理処理手段は、広告情報を利用者端末ごとに選択して配信する手段を含むことを特徴とする。
【００５２】
これによって、広告配信管理処理手段はあらかじめ設定された条件に基づき広告情報を利用者端末ごとに選択して配信することができる。したがって、設定条件によって利用者が興味を抱かない広告を配信する必要がなくなる。このため、広告主にとって広告効果の高い広告配信システムを実現できる。
【００５３】
請求項１３に記載の発明は、管理サーバは、リンク提供サイトに表示されたリンク誘導手段の選定に基づき、リンク誘導情報を含む広告情報をリンク誘導手段にリンク設定し、選定されたリンク誘導手段にリンクされていたウェブサイトを出力するまでの間に広告情報を配信する手段を含むことを特徴とする。
【００５４】
これによって、利用者がリンク提供サイトに表示されたリンク誘導手段を選択することで、そのリンク誘導手段に広告情報をリンク設定し、リンク誘導手段にリンク設定されていたウェブサイトを表示するまでの間に広告情報を配信することができる。このため、広告主にとって広告効果の高い広告配信システムを実現できる。
【００５５】
請求項１４に記載の発明は、広告配信管理処理手段は、広告配信者端末から入力された１または複数の広告情報およびリンク誘導情報を、利用者端末から入力されたリンク誘導手段選定ごとに、予め設定された第４の条件に基づき複数の利用者端末へ配信する手段を含むことを特徴とする。
【００５６】
これによって、広告配信者端末から入力された広告情報及びリンク誘導情報をリンク誘導手段ごとに利用者端末に配信することができる。このため、広告主にとって広告効果の高い広告配信システムを実現できる。
【００５７】
請求項１５に記載の発明は、管理サーバは、リンク誘導手段の予め設定された第５の条件に基づき、広告情報及びリンク誘導情報を割り当てる手段を含むことを特徴とする。
【００５８】
これによって、広告配信者端末から入力された広告情報及びリンク誘導情報をリンク誘導手段ごとに利用者端末に配信することができる。このため、広告主にとって広告効果の高い広告配信システムを実現できる。
【００５９】
請求項１６に記載の発明は、広告情報及びゲーム情報が出力される利用者端末と、利用者端末に通信ネットワークを介して接続され、ウェブサイトを提供する管理サーバと、利用者端末に出力される広告情報及び配信料情報を管理サーバに入力する広告配信者端末とが通信ネットワークを介して接続された懸賞情報を利用した広告配信方法であって、管理サーバは、利用者端末から項目情報の選択に基づき、ゲーム、メール送受信、検索処理、広告配信のいずれか１つの処理が開始され、ゲーム結果を利用者端末に出力する出力ステップと、配信料情報入力後、予め設定された条件に基づき、賞金情報および配当金情報を算出する算出ステップとを備えることを特徴とする。
【００６０】
これによって、管理サーバ内に広告情報が入力・登録され、利用者端末からのゲーム、メール送受信、検索処理、広告配信要求により、広告情報出力が行われる。さらに、広告情報出力と相前後して賞金情報や配当金情報が算出される。このため、広告主にとって広告効果の高い広告配信方法を実現できる。
【００６１】
請求項１７に記載の発明は、広告情報及びゲーム情報が出力される利用者端末と、利用者端末に出力されるウェブサイトを提供するリンク提供サーバと、リンク提供サーバからリンク誘導情報が入力される管理サーバと、利用者端末に出力される広告情報及び配信料情報を管理サーバに入力する広告配信者端末とが通信ネットワークを介して接続された懸賞情報を利用した広告配信方法であって、管理サーバは、予め設定された条件に基づき広告情報をリンク誘導情報に割り当てるリンク設定ステップと、リンク設定と同時またはリンク設定後、利用者端末から項目情報の選択に基づき、ゲーム、メール送受信、検索処理、広告配信のいずれか１つの処理が開始され、ゲーム結果を利用者端末に出力し、出力終了と同時または出力後、リンク誘導情報を利用者端末に送信し、リンク終了後、予め設定された条件に基づきリンク設定解除を予告した後、リンク設定解除を通知し、リンクを終了する、又は、リンク再更新設定を行う広告配信ステップと、配信料情報入力後、予め設定された条件に基づき、賞金情報および配当金情報を算出する算出ステップと、を備えることを特徴とする。
【００６２】
これによって、請求項１６の発明にリンク提供サーバを追加することによって、利用者端末からのアクセスルートの増加が図れる。管理サーバはリンク提供サーバを経由して利用者端末にゲーム、メール送受信、検索処理、広告配信を送信することが可能であり、予め設定された第２の条件のもと、管理サーバとリンク提供サーバとのリンクを終了することができる。本システムの管理者にとってリンク提供サーバを増加することは、利用者端末を増加することにつながり、広告主にとって広告効果の高い広告配信方法を実現できる。
【００６３】
請求項１８に記載の発明は、管理サーバは、リンク提供サーバから管理サーバに入力された１又は複数のリンク誘導情報を予め設定された第３の条件に基づき管理サーバに割りあて、登録を開始し、及び／又は、登録更新処理を行うステップをさらに含むことを特徴とする。
【００６４】
これによって、リンク誘導情報を管理サーバに登録及び／又は登録更新ができる。このため、広告主にとって広告効果の高い広告配信方法を実現できる。
【００６５】
請求項１９に記載の発明は、予め設定された条件に基づき広告情報が入力され、登録が開始され、及び／又は、登録更新処理が行われる登録ステップを含むことを特徴とする。
【００６６】
これによって、管理サーバに登録されている広告情報だけでなく、広告主から当該広告配信システムに広告情報を入力できる。このため、広告主にとって広告効果の高い広告配信方法を実現できる。
【００６７】
請求項２０に記載の発明は、予め設定された条件に基づき、広告配信処理後に当選権利を確定するステップを含むことを特徴とする。
【００６８】
これによって、ゲームを行った利用者は当選または落選を知ることができ、賞金を獲得する権利を得られるか否かを判断できる。または、ゲームを行わない形態を選択した利用者は、管理サーバが任意に決定し、広告情報出力終了後に表示される当落結果を知ることができ、賞金を獲得する権利を得られるか否かを判断できる。このため、広告主にとって広告効果の高い広告配信方法を実現できる。
【００６９】
請求項２１に記載の発明は、管理サーバは、広告配信者端末に対して、リンク設定料の支払請求と、及び／又は、管理料の支払請求を出力するステップをさらに含むことを特徴とする。
【００７０】
これによって、請求項１６から２０に記載の発明に広告主向料金管理処理手段を追加することで、管理サーバは広告配信者端末に対し、リンク設定料の支払い請求、及び／又は、管理料の支払い請求をすることができる。このため、広告主にとって広告効果の高い広告配信方法を実現できる。
【００７１】
請求項２２に記載の発明は、管理サーバは、リンク提供サーバに対して、利用料の支払請求と、及び／又は、管理料の支払請求を出力し、利用者端末に対して、支払われる賞金情報及び／又は配当金情報の通知を出力するステップをさらに含むことを特徴とする。
【００７２】
これによって、請求項１６から２１に記載の発明にリンク提供者向料金管理処理手段を追加することで、管理サーバはリンク提供サーバに対し、情報料の支払い請求、及び／又は、管理料の支払い請求をすることができ、利用者端末に対して、支払われる利用料を通知できる。このため、広告主にとって広告効果の高い広告配信方法を実現できる。
【００７３】
請求項２３に記載の発明は、リンク提供者向料金管理処理手段は、広告配信者端末及び／又は利用者端末から利用料の利用種別が入力されることを特徴とする。
【００７４】
これによって、広告主が希望する利用料の支払形態が選択できるとともに、利用者も受領する賞金・配当金の受領形態を選択することが可能となる。このため、広告主にとって広告効果の高い広告配信方法を実現できる。
【００７５】
請求項２４に記載の発明は、利用種別は、金銭・サービス・権利・商品のいずれか１つまたは複数の組み合わせからなることを特徴とする。
【００７６】
これによって、利用料は金銭に限られず、商品や、金銭と同等の価値を有するポイントといったサービスや、本発明のシステムの機能を使用するためのアクセス権やダウンロードを許可する権利といった権利とすることが可能となる。このため、広告主にとって広告効果の高い広告配信方法を実現できる。
【００７７】
請求項２５に記載の発明は、広告配信ステップは、リンク提供サイト上にリンク誘導手段を出力する、又は、広告情報にリンク誘導手段を出力するステップを含むことを特徴とする。
【００７８】
これによって、利用者はリンク提供サイトに表示されたバナーなどのリンク誘導手段を操作することができ、また、配信途中の広告情報に対しても利用者はリンク誘導手段を操作することができる。このため、広告主にとって広告効果の高い広告配信方法を実現できる。
【００７９】
請求項２６に記載の発明は、利用者端末は、管理サーバまたはリンク提供サーバに接続されることを特徴とする。
【００８０】
これによって、利用者端末はリンク提供サーバを介して管理サーバに接続することができ、また、直接管理サーバに接続することもできる。このため、広告主にとって広告効果の高い広告配信方法を実現できる。
【００８１】
請求項２７に記載の発明は、広告配信ステップは、広告情報を利用者端末ごとに選択して配信するステップを含むことを特徴とする。
【００８２】
これによって、広告配信管理処理手段はあらかじめ設定された条件に基づき広告情報を利用者端末ごとに選択して配信することができる。したがって、設定条件によって利用者が興味を抱かない広告を配信する必要がなくなる。このため、広告主にとって広告効果の高い広告配信方法を実現できる。
【００８３】
請求項２８に記載の発明は、管理サーバは、リンク提供サイトに表示されたリンク誘導手段の選定に基づき、リンク誘導情報を含む広告情報をリンク誘導手段にリンク設定し、選定されたリンク誘導手段にリンクされていたウェブサイトを出力するまでの間に広告情報を配信するステップを含むことを特徴とする。
【００８４】
これによって、利用者がリンク提供サイトに表示されたリンク誘導手段を選択することで、そのリンク誘導手段に広告情報をリンク設定し、リンク誘導手段にリンク設定されていたウェブサイトを表示するまでの間に広告情報を配信することができる。このため、広告主にとって広告効果の高い広告配信方法を実現できる。
【００８５】
請求項２９に記載の発明は、広告配信管理処理手段は、広告配信者端末から入力された１または複数の広告情報およびリンク誘導情報を、利用者端末から入力されたリンク誘導手段選定ごとに、予め設定された第４の条件に基づき複数の利用者端末へ配信するステップを含むことを特徴とする。
【００８６】
これによって、広告配信者端末から入力された広告情報及びリンク誘導情報をリンク誘導手段ごとに利用者端末に配信することができる。このため、広告主にとって広告効果の高い広告配信方法を実現できる。
【００８７】
請求項３０に記載の発明は、管理サーバは、リンク誘導手段の予め設定された第５の条件に基づき、広告情報及びリンク誘導情報を割り当てるステップを含むことを特徴とする。
【００８８】
これによって、広告配信者端末から入力された広告情報及びリンク誘導情報をリンク誘導手段ごとに利用者端末に配信することができる。このため、広告主にとって広告効果の高い広告配信方法を実現できる。
【００８９】
請求項３１に記載の発明は、利用者端末からの電気信号を受けつけ、カテゴリ詳細部を利用者端末に表示させ、カテゴリ詳細部への電気信号に基づき、利用者端末に広告情報を配信させることを特徴とする。
【００９０】
これによって、プログラムとしてウェブサイトを閲覧するためのソフトウェアであるウェブブラウザや、電子メールの購読・送受信を行うソフトウェアであるメーラーなどに組み込むことが可能となる。したがって、利用者がカテゴリ詳細部のプログラムを上記ソフトウェアに組み込むことで、管理サーバやリンク提供サーバにアクセスしないでも、本システムを利用することができるようになる。このため、広告主にとって広告効果の高い広告配信プログラムを実現できる。
【発明の効果】
【００９１】
本発明の懸賞情報を利用した広告配信システムまたは方法によると、以下のような効果がある。まず、本システムを利用する利用者は、広告を閲覧し、ゲームをすることによって広告主から管理サーバに提供された賞金、及び／又は、配当金などの懸賞金を本システムの利用料なしで得ることができる。さらに、金銭に限らず、ポイント制として広告主から提供される懸賞品と交換可能な実施形態とすれば応用範囲が広い。
【００９２】
一方、広告主は利用者が興味を抱いている情報を管理サーバから利用でき、無作為に利用者端末に広告情報を配信・出力するより、利用者を絞って配信することができる。したがって、無駄な広告費用を削減でき、広告効果の高い広告を配信することができる。
【００９３】
さらに、本システムとリンク提供サーバとを提携関係によって結びつけることで、利用者端末は、本システム以外にも、リンク提供サーバと通信を行い本システムへアクセスすることができ、アクセスルートの増加が図れる。
【発明を実施するための最良の形態】
【００９４】
以下本発明の実施形態を図面を参照しつつ詳細に説明する。
【００９５】
（第１実施形態）
まず、第１実施形態について図１乃至図１０を参照して説明する。図１は、第１実施形態のシステム構成図であり、これに基づいて、システム構成例の概要を説明する。
【００９６】
懸賞情報を利用した広告配信システムは、広告情報及びゲーム情報が出力される利用者端末３０と、利用者端末３０に通信ネットワーク５０を介して接続され、ウェブサイトを提供する管理サーバ２０と、利用者端末３０に出力される広告情報及び配信料情報を管理サーバ２０に入力する広告配信者端末１０とが通信ネットワーク５０を介して接続された懸賞情報を利用した広告配信システムである。なお、広告情報は広告配信者端末１０だけでなく、管理サーバ２０もまた提供することができる。
【００９７】
ここでの管理サーバ２０は、
（１）住所、氏名、電話番号、電子メールアドレス等の顧客情報を登録する顧客情報管理処理手段Ｍ１０と、
（２）所在地、会社名、電話番号、ＦＡＸ番号、電子メールアドレス等の企業情報を登録する企業情報管理処理手段Ｍ１１と、
（３）広告配信者端末１０からの広告情報を受信し、登録する広告情報登録処理手段Ｍ１３と、
（４）広告情報登録後、予め設定された条件に基づき広告情報を利用者端末３０に対し、出力・配信する広告配信管理処理手段Ｍ１５と、
（５）広告情報配信後、予め設定された条件に基づき、利用者端末３０に割り当てられる賞金額を計算する賞金管理処理手段Ｍ１６と、
（６）賞金額計算後、予め設定された条件に基づき、当該賞金を獲得する利用者を選定する当選者管理処理手段Ｍ１７と、
（７）当選者選定後、広告配信者端末１０に対して、利用者端末３０に配信された広告情報の利用成果に応じた管理サーバ２０へのリンク設定料及び／又は管理サーバ２０への管理料の支払い請求を出力する広告主向料金管理処理手段Ｍ１９と、
それぞれの手段Ｍ１０，Ｍ１１，Ｍ１３，Ｍ１５，Ｍ１６，Ｍ１７，Ｍ１９に対応するデータベースＤ１０，Ｄ１１，Ｄ１３，Ｄ１５，Ｄ１６，Ｄ１７，Ｄ１９を有している。ここでデータベースＤ１０，Ｄ１１，Ｄ１３，Ｄ１５，Ｄ１６，Ｄ１７，Ｄ１９は、それぞれの手段Ｍ１０，Ｍ１１，Ｍ１３、Ｍ１５，Ｍ１６，Ｍ１７，Ｍ１９と、ここでは便宜上分離して示したが、手段内の一要素とすることも出来る。
【００９８】
次に、上記の各手段とそのデータベースの構成をその作用とともに順次説明する。なお、後述する各手段は、管理サーバ２０のハードウェア構成中、ＣＰＵ等の処理装置あるいはそこで実行されるプログラム、およびハードディスク等の記憶装置により実現される。
【００９９】
図２は、管理サーバ２０内の顧客情報管理処理手段Ｍ１０とそのデータベースＤ１０、企業情報管理処理手段Ｍ１１とそのデータベースＤ１１、広告情報登録処理手段Ｍ１２とそのデータベースＤ１３の構成を示す構成図である。
【０１００】
まず、本システムを利用しようとする利用者は、利用者端末３０から住所、氏名、電話番号、電子メールアドレス、ユーザコード、パスワード等の顧客情報を入力する。顧客情報管理処理手段ｍ１０００は、利用者端末からの顧客情報入力Ｉ１００１を受付け、顧客情報管理情報記憶部ｄ１０００に記憶する。これにより、管理サーバ２０内に顧客情報が登録される。
【０１０１】
次に、本システムを利用しようとする広告主は、広告配信者端末１０から所在地、会社名、電話番号、ＦＡＸ番号、電子メールアドレス、ユーザコード、パスワード等の企業情報を入力する。企業情報管理処理手段ｍ１１００は、広告配信者端末１０からの企業情報入力Ｉ１００３を受付け、企業情報管理情報記憶部ｄ１１００に記憶する。これにより、管理サーバ２０内に企業情報が登録される。
【０１０２】
さらに、広告主は広告しようとする広告情報を広告配信者端末１０に入力する。なお、一例として、ここでの広告情報には、アンケートや求人情報等も含まれる。広告受付管理処理部ｍ１３０１は、広告配信者端末１０からの広告情報（再）入力Ｉ１００５を受付け、広告受付管理情報記憶部ｄ１３０１に記憶する。これにより、管理サーバ２０内に広告情報が登録される。この広告情報は、広告審査管理処理部ｍ１３０３により、広告審査管理情報記憶部ｄ１３０３に予め登録されている審査データを参照して、登録するにふさわしいかを判定する。
【０１０３】
広告配信者端末１０から入力された広告情報がふさわしくない場合、広告審査管理処理部ｍ１３０３は、広告情報登録不可出力Ｏ１００１を広告情報の入力が行われた広告配信者端末１０宛に送信する。一方で、広告配信者端末１０から入力された広告情報がふさわしい場合、広告登録管理処理部ｍ１３０５は、その広告情報の登録データを広告登録管理情報記憶部ｄ１３０５に記憶する。
【０１０４】
広告在庫管理処理部ｍ１３０７は、広告情報の在庫状況を、広告在庫管理情報記憶部ｄ１３０７に記憶し、残数管理を行う。広告利用期限管理処理部ｍ１３０９は、広告利用期限を広告利用期限管理情報記憶部ｄ１３０９に記憶しその管理を行う。
【０１０５】
広告連続リンク指示管理処理部ｍ１３１１は、広告の在庫と利用期限の状況を参照して、広告連続リンク指示出力Ｏ１００３を広告配信者端末１０に発信するとともに、広告連続リンク指示管理情報記憶部ｄ１３１１に記憶する。なお、広告連続リンク指示とは広告の在庫が切れたり、広告配信者端末１０から入力される広告情報の利用期限が切れた場合に、引き続き（連続して）広告主が管理サーバ２０に広告情報を掲載するか否かの判断を求める指示である。
【０１０６】
広告配信指示管理処理部ｍ１３１３は、広告登録管理処理部ｍ１３０５の広告情報登録処理完了信号を受けて、広告配信設定指示信号を、広告配信指示管理情報記憶部１３１３に記憶するとともに、この信号を広告配信管理処理手段Ｍ１５に出力する。
【０１０７】
図３は、広告配信管理処理手段Ｍ１５とそのデータベースＤ１５の構成を示す構成図である。
【０１０８】
広告配信指示管理処理部ｍ１３１３からの広告配信管理処理手段Ｍ１５への広告配信設定指示信号を受けて、広告配信指示受付管理処理部ｍ１５０１は、広告配信指示受付管理情報記憶部ｄ１５０１に記憶する。リンク許可管理処理部ｍ１４０３は、リンク設定後の広告配信者端末１０からのリンクを許可し、これをリンク許可管理情報記憶部ｄ１５０３に記憶する。これに伴ってリンクサービスが開始される。広告配信タイム管理処理部ｍ１５０５は、広告配信時間の設定、起算、積算を行い、これを広告配信タイム管理情報記憶部ｄ１５０５に記憶する。
【０１０９】
広告管理処理部ｍ１５０７は、広告管理情報記憶部ｄ１５０７を参照して、広告情報を利用者端末３０に広告情報出力Ｏ１００９として配信する。閲覧管理処理部ｍ１５０９は、利用者端末３０からのリンク提供サイトの閲覧情報を受付け、これを閲覧管理情報記憶部ｄ１５０９に記憶する。なお、この広告管理処理部ｍ１５０７は、広告配信に関するその他の処理を総括する。
【０１１０】
注文管理処理部ｍ１５１１は、利用者端末３０から受けた注文を注文管理情報記憶部ｄ１５１１に記憶し、商品送付を指令する商品送付出力Ｏ１０１１を送信する。なお、利用者端末３０から受けた注文が不動産広告や求人広告等のサービスに関する問合せに該当する場合、注文管理処理部ｍ１５１１は、物件情報や面接日等の回答を商品送付出力Ｏ１０１１として送信する。視聴管理処理部ｍ１５１３は、視聴サービスの要請を受けて、視聴出力指示出力Ｏ１０１３を送信し、この状況を視聴管理情報記憶部ｄ１５１３に記憶する。なお、管理サーバ２０で把握できない注文情報や視聴情報に関しては、リンク提供サイトを管理するリンク提供サーバ１４０との交信により、それらの情報を取得できる。
【０１１１】
マーケティング管理処理部ｍ１５１５は、マーケティング管理情報記憶部ｄ１５１５と協働で、利用者端末３０に対するアンケートなどのマーケティング参加調査を行い、その結果をマーケティング集計結果出力Ｏ１０１５として送出する。懸賞ゲーム管理処理部ｍ１５１７は、懸賞用のゲームをこのシステムが設ける場合の懸賞用のゲームの管理を懸賞用の懸賞ゲーム管理情報記憶部ｄ１５１７と協働で行う。景品管理処理部ｍ１５１９は、懸賞提供情報登録処理手段Ｍ１１で登録された懸賞の管理処理を総合的に司り、景品送付指示出力Ｏ１０１７を出すとともに、この状況を景品管理情報記憶部ｄ１５１９に記憶する。なお、管理サーバ２０で把握できないマーケティング情報や景品情報に関しては、リンク提供サーバ１４０との交信により、それらの情報を取得できる。
【０１１２】
リンク停止条件管理処理部ｍ１５２５は、リンク停止条件管理情報記憶部ｄ１５２５とともに、予め設定された条件である広告配信停止条件を、総合的に管理する。この実施形態においては、予め設定された条件の一部とされている設定時間経過は、広告配信タイム管理処理部ｍ１５０５で、広告在庫の終了については、広告在庫管理処理部ｍ１３０７と広告在庫管理情報記憶部ｄ１３０７で行う。なお、広告停止条件は、図１５に基づき後述するように周期的にチェックされる。
【０１１３】
図４は、賞金管理処理手段Ｍ１６とそのデータベースＤ１６、当選者管理処理手段Ｍ１７とそのデータベースＤ１７の構成を示す構成図である。
【０１１４】
賞金情報受付管理処理部ｍ１６０１は、広告情報とともに入力された所定の広告配信料情報のうち、予め設定された条件（例えば、広告配信料のうち数％）に基づき、その配信料情報を分割し、分割された一部の配信料情報を賞金情報及び／又は配当金情報として計上し、賞金情報受付管理情報記憶部ｄ１６０１に記憶する。また、管理者や広告主によって賞金情報が入力された場合にも、同様に、賞金情報受付管理情報記憶部ｄ１６０１に記憶する。これによって、利用者に支払われる賞金及び／又は配当金が管理サーバ２０内に記憶される。なお、この他にも、賞金情報の入力は、複数の広告主で均等に割り付ける方式や、予め決められた条件のもと一定の分担金を広告主に課すこともできる。さらに、広告主から広告配信料情報が提供されない場合、本システム利用後に発生する広告情報出力に基づく売り上げの一部を賞金情報として提供させることも可能である。
【０１１５】
複数の広告主が同一のカテゴリに広告情報を出力したい場合、賞金情報積算管理処理部ｍ１６０３は、賞金情報受付管理処理部ｍ１６０１で行われる処理によって算出された賞金情報を積算し、賞金情報積算管理情報記憶部ｄ１６０３に記憶する。また、後述する当選者選定管理処理部ｍ１７０３によって、当選者が選定されなかった場合は、賞金情報は持ち越しとされ、再度、賞金情報は賞金情報積算管理情報記憶部ｄ１６０３に記憶されたり、又は、管理者によって一時的に没収し、再度管理者によって賞金情報を賞金情報積算管理情報記憶部ｄ１６０３に記憶させる。なお、ここでの「没収」とは、管理者に当該賞金情報を帰属させることをいう。これによって、管理サーバ２０のうち、同一のカテゴリに登録される賞金総額情報、配当金情報は増加する。すなわち、複数の広告主によって、賞金が提供されることになる。
【０１１６】
賞金情報計算管理処理部ｍ１６０５は、賞金情報積算管理情報記憶部ｄ１６０３に記憶された賞金総額情報を懸賞ゲームによって当選した人数で除算するなどの方法で、配当金情報を算出し、賞金情報計算管理情報記憶部ｄ１６０５に記憶する。
【０１１７】
賞金情報割当管理処理部ｍ１６０７は、賞金情報計算管理情報記憶部ｄ１６０５に記憶された配当金額情報を当選した利用者端末３０に割当て、賞金情報割当管理情報記憶部ｄ１６０７に記憶する。これによって、当選した利用者に割り当てられる配当金額が管理サーバ２０内に記憶される。
【０１１８】
当選者選定指示管理処理部ｍ１６０９は、賞金情報割当管理情報記憶部ｄ１６０７に記憶されるのと同期して、当選者管理処理手段Ｍ１７に当選者選定信号を出力し、その情報を当選者選定指示管理情報記憶部ｄ１６０９に記憶する。
【０１１９】
当選者選定指示受付管理処理部ｍ１７０１は、当選者選定指示管理処理部ｍ１６０９からの当選者選定信号を受付け、当選者選定指示受付管理情報記憶部ｄ１７０１に記憶する。当選者選定管理処理部ｍ１７０３は、予め設定された条件に基づき、当選者を決定し、当選者情報として当選者選定管理情報記憶部ｄ１７０３に記憶する。ここでの条件には、懸賞ゲームによって賞金が当選する権利を得るというものなどが該当する。
【０１２０】
当選者積算管理処理部ｍ１７０５は、当選者選定管理処理部ｍ１７０３によって決定された当選者情報を積算し、当選者積算管理情報記憶部ｄ１７０５に記憶する。当選者情報管理処理部ｍ１７０７は、当選者積算管理情報記憶部ｄ１７０５に記憶された複数の当選者情報に基づき、当選者となった各利用者端末３０に対して当選者情報出力Ｏ１００７を出力し、これを当選者情報管理情報記憶部ｄ１７０７に記憶する。これによって、本システムを利用する各利用者は、賞金を得る権利に当選したか否かを判断できる。
【０１２１】
料金精算指示管理処理部ｍ１７０９は、当選者情報管理情報記憶部ｄ１７０７に当選者情報出力を記憶するのと同期して、広告主向料金精算指示信号を広告主向料金管理処理手段Ｍ１９に出力し、これを料金精算指示管理情報記憶部ｄ１７０９に記憶する。なお、賞金を得る権利に代わり、ポイント制として利用者に付与することも可能であり、利用者は受信したポイントによって景品等と交換が可能である。
【０１２２】
図５は、広告主向料金管理処理手段Ｍ１９とそのデータベースＤ１９の構成を示す構成図である。
【０１２３】
料金精算指示管理処理部ｍ１７０９からの広告主向料金精算指示信号を料金精算指示受付管理処理部ｍ１９０１が受け、これを料金精算指示受付管理情報記憶部ｄ１９０１に記憶する。それぞれの利用料金は、その性格に応じて、次の各管理処理部で行われる。
【０１２４】
広告売上げ代金は、広告売上代金積算管理処理部ｍ１９０３で処理され、広告売上代金積算管理情報記憶部ｄ１９０３に記憶される。注文売上げ代金は、注文売上代金積算管理処理部ｍ１９０５で処理され、注文売上代金積算管理情報記憶部ｄ１９０５に記憶される。閲覧売上げ代金は、閲覧売上代金積算管理処理部ｍ１９０７で処理され、閲覧売上代金積算管理情報記憶部ｄ１９０７に記憶される。マーケティング利用代金は、マーケティング利用代金積算管理処理部ｍ１９０９で処理され、マーケティング利用代金積算管理情報記憶部ｄ１９０９に記憶される。
【０１２５】
各広告主サイトの売上げは、広告主別サイト売上合計管理処理部ｍ１９１１で処理され、広告主別サイト売上合計管理情報記憶部ｄ１９１１に記憶される。各広告主のリンク設定料は、上記の該当する処理部と情報記憶部からリンク設定料計算管理処理部ｍ１９１３で計算され、リンク設定料計算管理情報記憶部ｄ１９１３に記憶される。
【０１２６】
リンク設定料請求管理処理部ｍ１９１５は、リンク設定料請求出力Ｏ１０２３を該当する広告配信者端末１０宛に送出する。これは、リンク設定料請求管理情報記憶部ｄ１９１５に記憶される。これにより、広告配信者がリンクを終了させた場合または設定期間ごとに、管理サーバ２０は広告配信者端末１０に対して、利用者端末３０からのサービス利用成果に応じたリンク設定料の支払請求を行う。
【０１２７】
具体的には、利用者がリンク提供サイトに掲載されたリンク誘導手段（バナー広告等）をクリックすると、リンク設定されたウェブサイトに更新される。ウェブサイトのページビュウのカウントやバナークリックのカウントが増加すると、利用成果は増加する。リンク設定料入金管理処理部ｍ１９１７は、広告配信者端末１０からの入金があった場合、リンク設定料請求管理情報記憶部ｄ１９１５の記憶と対照し、その結果を、リンク設定料入金管理情報記憶部ｄ１９１７に記憶する。なお、上述した支払請求及び入金確認については、クレジットカード決済や電子マネー決済等の決済手段でも行うことができる。
【０１２８】
続いて、本実施形態において利用者が本システムを利用した場合における、ウェブサイトの変遷を図６から図１０を用いて詳細に説明する。
【０１２９】
図６は、管理サーバ２０が利用者端末３０に対して提供するウェブサイトの初期画面である。図６に示すウェブサイトは、バナー広告部６０と、テキスト入力部６２と、検索開始部６４と、カテゴリ表示部７０とから構成される。なお、図６に示すカテゴリ表示部７０は、「買う」、「楽しむ」、「暮らす」の３つのカテゴリ表示部７０から構成されるが、このカテゴリ表示部の数は限定されるものではなく、管理サーバ２０を管理する管理者によって任意に決定することが可能である。
【０１３０】
カテゴリ表示部７０は、それぞれ１または複数のカテゴリ詳細部８０から構成される。カテゴリ詳細部８０には、図７にて後述する種々の情報が表示される。また、カテゴリ詳細部８０についても、その数が限定されることはなく、管理サーバ２０を管理する管理者によって任意に決定することが可能である。
【０１３１】
バナー広告部６０は、本システムを利用する広告配信者に限らず、広く一般的な第３者、すなわち、本システムを利用しない第３者に対して提供されるバナー広告部である。なお、図６に示す矢印は、マウスポインタを示している。テキスト入力部６２は、利用者が要求する情報のキーワードを入力するためのテキストボックスである。
【０１３２】
利用者が本システムを利用する場合、上述した顧客情報を入力し、図６に示すウェブサイトを利用者端末３０に表示させる。利用者は利用者端末３０を操作し、マウスポインタを各カテゴリ詳細部８０に位置合わせする。マウスポインタで表示されたカテゴリ詳細部８０は反転し、マウスポインタで指し示されていることがわかる。もしくは、利用者は利用者端末３０からテキスト入力部６２に利用者が要求する情報のキーワードを入力する。入力後、利用者端末３０から検索開始部６４にマウスポインタを位置合わせし、クリックすると広告出力画面に遷移する。
【０１３３】
次に、各カテゴリ詳細部８０について、図７を用いて詳細に説明する。
【０１３４】
図７は、図６に示す各カテゴリ詳細部８０を具体的に示す図である。図７に示すカテゴリ詳細部８０は、各カテゴリの詳細内容が表示されるカテゴリ詳細表示部８１、積算された賞金額が表示される賞金表示部８２、賞金獲得権利者数が表示される権利者表示部８３、権利者に配当される配当金額が表示される配当金表示部８４とから構成される。なお、図７において、カテゴリ詳細表示部８１には「ショッピング」と表示されている。
【０１３５】
図７に示すカテゴリ詳細部８０は、図６に示すカテゴリ表示部７０のうち「買う」に表示されるカテゴリ詳細部８０を示す図である。カテゴリ詳細表示部８１は「ショッピング」以外にも、例えば、「オークション」、「旅行」、「出張」などカテゴリ表示部７０に表示される「買う」と関係があるものと管理者が考慮するものを表示することができる。さらには、カテゴリ表示部７０に表示される表示内容が「暮らす」であれば、カテゴリ詳細部８０には、「不動産」や「健康」など生活に密着した内容を表示することが可能である。
【０１３６】
賞金表示部８２には、上述した賞金管理処理手段Ｍ１６の賞金情報積算管理情報記憶部ｄ１６０３に記憶された賞金情報が表示される。権利者表示部８３には、上述した当選者管理処理手段Ｍ１７の当選者積算管理情報記憶部ｄ１７０５に記憶された当選者情報が表示される。配当金表示部８４には、上述した賞金管理処理手段Ｍ１６の賞金情報計算管理情報記憶部ｄ１６０５に記憶された配当金情報が表示される。図６および図７を用いて説明した内容によって、利用者が要求する情報を選別し、利用者にとって利用しやすいウェブサイトを提供することができる。
【０１３７】
次に、利用者が各カテゴリ詳細部８０に対し指示信号を出力（以下、クリックという。）した後のウェブサイトについて図８について説明する。
【０１３８】
図８は、利用者が利用者端末３０に広告表示を出力させるか否かを選択するウェブサイトである。なお、図６に示されるウェブサイトの各部と同様の構成には同一符号を付し、その説明を省略する。図８に示すウェブサイトはバナー広告部６０と、選択部９０、登録部１００とから構成される。さらに、選択部９０は、主選択部９１と、副選択部９２とから構成される。
【０１３９】
主選択部９１は、カテゴリ詳細表示部８１の中で「ショッピング」と関係があるものと管理者が考慮する項目を表示することができる。図８においては、例えば、「コンピュータ」、「本・コミック」が示されているが、この表示はこれらに限定されることなく、例えば、「音楽・ＣＤ」、「フード・ドリンク」など、任意に管理者が選定できる。各項目の前にはチェックボックスが示される。
【０１４０】
副選択部９２は、さらに、主選択部９１と関連する１または複数の項目を表示する。例えば、主選択部９１の表示が「コンピュータ」であれば、副選択部９２には「デスクトップ」や「プリンタ」、主選択部９１の表示が「本・コミック」であれば、副選択部９２には「雑誌」、「漫画」が表示される。各項目の前にはチェックボックスが示される。
【０１４１】
利用者は利用者端末３０に表示された図８に示すウェブサイトのチェックボックスをクリックし、利用者が利用者端末３０に表示させてもよい広告情報の分類を選択する。また、主選択部９１のチェックボックスを選択した場合には、副選択部９２のチェックボックスすべての項目にチェックが追加され、選択されることになる。
【０１４２】
利用者はチェックボックスで選択した後、利用者は図８に示す登録部１００をクリックすると、広告出力画面に遷移する。
【０１４３】
図９は、広告出力画面を有するウェブサイトの一形態を示す図面である。なお、図６に示されるウェブサイトの各部と同様の構成には同一符号を付し、その説明を省略する。
【０１４４】
図９に示すウェブサイトはバナー広告部６０と、ゲーム部１１０と、広告出力部１２０と、関連サイト表示部１３０とから構成される。さらに、ゲーム部１１０は、数字選択部１１１と、ゲーム開始部１１２とから構成される。
【０１４５】
広告出力部１２０には、上述した広告情報登録処理手段Ｍ１３の広告登録管理情報記憶部ｄ１３０５に記憶された複数の広告情報のうち、上述した図８で利用者端末３０から選択された項目または上述した図６で利用者端末３０からテキスト入力部６２に入力されたキーワードに関連する広告情報を出力する。すなわち、選択されなかった項目に関連する広告情報は利用者端末３０に対して配信されない。
【０１４６】
ゲーム部１１０は、利用者が数字選択部１１１の上向きの三角または下向きの三角をクリックし、任意の３桁の数値とすることができる。この任意の３桁の数値情報と管理サーバ２０内に登録された数値情報とが一致した場合に当選とし、不一致の場合落選とする。この当選・落選はゲーム開始部１１２を利用者端末３０からクリックすることによって判定される。また、当該ゲーム部１１０は、指定された利用者端末３０からしかアクセスできないゲーム部１１０とすることもできる。すなわち、ゲームを利用した結果に基づいて権利を取得した利用者端末３０からしか当該ゲーム部１１０はアクセスできない。これによって、１度当選結果を受領した利用者端末３０は、アクセス権の有するゲームに参加が可能となる。例えば、アクセス権の有するゲームが当選確率の高いゲームであれば、利用者端末３０からより高い誘引効果が得られる。
【０１４７】
関連サイト表示部１３０は、上述した図８で利用者端末３０から選択された項目に関連するウェブサイトのバナー広告、ＵＲＬなどのリンク誘導手段を表示する。この表示は、図８に示すウェブサイトに切り替わると同時に表示してもよく、また、ゲーム開始部１１２をクリックすることで表示させることや、広告情報出力中または出力後に表示させてもよい。
【０１４８】
さらに、広告出力部の画面遷移について図１０を用いて詳細に説明する。
【０１４９】
図１０は、広告出力部の画面遷移を模式的に示す図面である。図１０に示す矩形の枠であって、図柄が表示されている枠は広告配信中の広告出力部であり、２本の矢印の先の矩形の枠は、広告配信終了後の広告出力部である。「当選」と表示された矩形の枠は、上述したゲーム部１１０において任意に選定した数値情報が、管理サーバ２０内に登録された数値情報と一致した場合を示しており、「残念」と表示された矩形の枠は、上述したゲーム部１１０において任意に選定した数値情報が、管理サーバ２０内に登録された数値情報と不一致である場合を示している。なお、「＊サイトへ」と表示された矩形の枠は、配信された広告情報の広告主のウェブサイトへ遷移するリンク誘導手段などである。
【０１５０】
利用者は、管理サーバ２０から配信される広告情報を利用者端末３０から閲覧し、閲覧後、当選情報または落選情報を得る。当選情報を得た場合には、当選した利用者の情報とともに当選者管理処理手段Ｍ１７の当選者情報管理情報記憶部ｄ１７０７に記憶する。これによって、当該利用者は図７に示す賞金を得る権利を得ることができる。
【０１５１】
（第２実施形態）
次に、第２実施形態について図１１乃至図１５を参照して説明する。図１１は、第２実施形態のシステム構成図であり、これに基づいて、システム構成例の概要を説明する。なお、第１実施形態での各処理手段と同様の構成には同一符号を付し、その説明を省略する。したがって、第２実施形態では追加されたリンク提供サイト情報登録処理手段Ｍ１２、リンク設定管理処理手段Ｍ１４、リンク提供者向料金管理処理手段Ｍ１８について詳細に説明する。
【０１５２】
第２実施形態の懸賞情報を利用した広告配信システムは、広告情報及びゲーム情報が出力される利用者端末３０と、利用者端末３０に出力されるウェブサイトを提供するリンク提供サーバ１４０と、リンク提供サーバ１４０からリンク誘導情報が入力される管理サーバ２０と、利用者端末３０に出力される広告情報及び配信料情報を管理サーバ２０に入力する広告配信者端末１０とが通信ネットワーク５０を介して接続された懸賞情報を利用した広告配信システムである。なお、広告情報は広告配信者端末１０だけでなく、管理サーバ２０もまた提供することができる。
【０１５３】
ここでの管理サーバ２０は、
（１）住所、氏名、電話番号、電子メールアドレス等の顧客情報を登録する顧客情報管理処理手段Ｍ１０と、
（２）所在地、会社名、電話番号、ＦＡＸ番号、電子メールアドレス等の企業情報を登録する企業情報管理処理手段Ｍ１１と、
（３）リンク提供サーバ１４０からのリンク提供サイト情報を受信し、登録するリンク提供サイト情報処理手段Ｍ１２と、
（４）広告配信者端末１０からの広告情報を受信し、登録する広告情報登録処理手段Ｍ１３と、
（５）入力された広告情報と、入力されたリンク提供サイト情報をリンク設定するリンク設定管理処理手段Ｍ１４と、
（６）広告情報登録後、予め設定された条件に基づき広告情報を利用者端末３０に対し、出力・配信し、配信終了と同時または配信後、リンク誘導情報を利用者端末３０に送信し、リンク終了後、予め設定された条件に基づきリンク設定解除を予告した後、リンク設定解除を通知し、リンクを終了する、又は、リンク再更新設定を行う広告配信管理処理手段Ｍ１５と、
（７）広告情報配信後、予め設定された条件に基づき、利用者端末３０に割り当てられる賞金額を計算する賞金管理処理手段Ｍ１６と、
（８）賞金額計算後、予め設定された条件に基づき、当該賞金がもらえる利用者を選定する当選者管理処理手段Ｍ１７と、
（９）リンク提供サーバ１４０に対して、利用料の支払請求と、及び／又は、管理料の支払請求を出力し、利用者端末３０に対して、支払われる賞金情報及び／又は配当金情報の通知を出力するリンク提供者向料金管理処理手段Ｍ１８と、
（１０）当選者選定後、広告配信者端末１０に対して、利用者端末３０に配信された広告情報の利用成果に応じた管理サーバ２０へのリンク設定料及び／又は管理サーバ２０への管理料の支払い請求を出力する広告主向料金管理処理手段Ｍ１９と、
それぞれの手段Ｍ１０，Ｍ１１，Ｍ１２，Ｍ１３，Ｍ１４，Ｍ１５，Ｍ１６，Ｍ１７，Ｍ１８，Ｍ１９に対応するデータベースＤ１０，Ｄ１１，Ｄ１２，Ｄ１３，Ｄ１４，Ｄ１５，Ｄ１６，Ｄ１７，Ｄ１８，Ｄ１９を有している。ここでデータベースＤ１０，Ｄ１１，Ｄ１２，Ｄ１３，Ｄ１４，Ｄ１５，Ｄ１６，Ｄ１７，Ｄ１８，Ｄ１９は、それぞれの手段Ｍ１０，Ｍ１１，Ｍ１２，Ｍ１３，Ｍ１４，Ｍ１５，Ｍ１６，Ｍ１７，Ｍ１８，Ｍ１９と、ここでは便宜上分離して示したが、手段内の一要素とすることも出来る。
【０１５４】
まず、第２実施形態において追加されたリンク提供サイト情報登録処理手段Ｍ１２について説明する。
【０１５５】
図１２は、リンク提供サイト情報登録処理手段Ｍ１２とそのデータベースＤ１２の構成を示す構成図である。サイト情報受付管理処理部ｍ１２０１は、リンク提供サーバ１４０からのリンク提供サイト情報（再）入力Ｉ１００３を受付け、サイト情報受付管理情報記憶部ｄ１２０１に記憶する。これにより、管理サーバ２０内にリンク提供サイト情報及びリンク提供サイトに表示させるリンク誘導情報（リンクされる側ウェブサイトのＵＲＬ等）が登録される。このリンク提供サイト情報は、サイト情報審査管理処理部ｍ１２０３により、サイト情報審査管理情報記憶部ｄ１２０３に予め登録されている審査データを参照して、登録するにふさわしいかを判定する。
【０１５６】
リンク提供サーバ１４０から入力されたリンク提供サイト情報がふさわしくない場合、サイト情報審査管理処理部ｍ１２０３は、リンク提供サイト情報登録不可出力Ｏ１００５をリンク提供サイト情報を提供するリンク提供サーバ１４０に送信する。一方で、リンク提供サーバ１４０から入力されたリンク提供サイト情報がふさわしい場合、サイト情報登録管理処理部ｍ１２０５は、リンク提供サイト情報をサイト情報登録管理情報記憶部ｄ１２０５に記憶する。
【０１５７】
サイト情報利用期限管理処理部ｍ１２０７は、リンク提供サイト情報の利用期限をサイト情報利用期限管理情報記憶部ｄ１２０７に記憶し、その管理を行う。サイト情報連続提供指示管理処理部ｍ１２０９は、利用期限の状況を参照して、リンク提供サイト情報連続提供指示出力Ｏ１００６をリンク提供サーバ１４０に発信するとともに、サイト情報連続提供指示管理情報記憶部ｄ１２０９に記憶する。なお、リンク提供サイト情報連続提供指示とはリンク提供サーバ１４０から提供されるリンク提供サイト情報の利用期限が切れた場合に、引き続き（連続して）リンク提供サーバ１４０が管理サーバ２０にリンク提供サイト情報を掲載するか否かの判断を求める指示である。
【０１５８】
サイト情報登録リンク指示管理処理部ｍ１２１１は、サイト情報登録管理処理部ｍ１２０５のサイト情報登録処理完了信号を受けて、リンク設定指示信号を、サイト情報登録リンク指示管理情報記憶部ｄ１２１１に記憶するとともに、この信号をリンク設定管理処理手段Ｍ１４に出力する。
【０１５９】
次に、第２実施形態において追加されたリンク設定管理処理手段Ｍ１４について説明する。
【０１６０】
図１３は、リンク設定管理処理手段Ｍ１４とそのデータベースＤ１４の構成を示す構成図である。広告配信指示管理処理部ｍ１３１３からのリンク設定指示信号を広告配信指示受付管理処理部ｍ１４０１が受けて、これを広告配信指示受付管理情報記憶部ｄ１４０１に記憶する。サイト情報登録リンク指示管理処理部ｍ１２１１からのリンク設定指示信号をリンク提供サイト情報受付管理処理部ｍ１４０３が受けて、これをリンク提供サイト情報受付管理情報記憶部ｄ１４０３に記憶する。
【０１６１】
広告情報積算管理処理部ｍ１４０５は、広告配信者端末１０から管理サーバ２０に登録された複数の広告情報を積算し、広告情報積算管理情報記憶部ｄ１４０５に記憶する。サイト情報積算管理処理部ｍ１４１１は、リンク提供サーバ１４０から管理サーバ２０に登録されたリンク提供サイト情報に符号を割当て、予め設定された第３の条件に基づき積算し、サイト情報積算管理情報記憶部ｄ１４１１に記憶する。ここでの条件とは、バナーをクリックした回数やページを更新した回数が条件となる。
【０１６２】
リンク設定先検索管理処理部ｍ１４１７は、登録された広告情報を基に、登録されたリンク提供サイト情報を予め設定された条件に基づき検索し、その情報を抽出する。ここでの条件は、広告情報が、リンク提供サイト情報に割り当てられる条件である。
【０１６３】
リンク設定管理処理部ｍ１４１９は、抽出されたリンク提供サイト情報を広告情報に割り当て、リンク設定する。このリンク設定の記憶は、リンク設定管理情報記憶部ｄ１４１９に記憶される。これにより、リンク提供サーバ１４０が開設するウェブサイト上の表示位置情報（バナーが表示されるスペース）が、広告配信者の提供する広告情報へリンク設定される。
【０１６４】
リンク設定解除指示受付管理処理部ｍ１４２１は、リンク設定解除指示信号を受付けた場合、それをリンク設定解除指示受付管理情報記憶部ｄ１４２１に記憶し、リンク設定解除管理処理部ｍ１４２３が、その特定されたリンクの解除を行い、この状況をリンク設定解除管理情報記憶部ｄ１４２３に記憶する。リンク設定管理処理部ｍ１４１９によりリンク設定された後、リンク指示管理処理部ｍ１４２５は、次の広告配信管理処理手段Ｍ１５にリンク指示信号を送る。なお、ここでの、リンク設定管理処理手段Ｍ１４に於けるリンク設定は、スタンバイ状態として、広告配信管理処理手段Ｍ１５に知らせ、広告配信管理処理手段Ｍ１５からのリンク指示を待つものとしてもよい。
【０１６５】
最後に、第２実施形態において追加されたリンク提供者向料金管理処理手段Ｍ１８について説明する。
【０１６６】
図１４は、リンク提供者向料金管理処理手段Ｍ１８とそのデータベースＤ１８の構成を示す図である。料金精算指示管理処理部ｍ１７０９からのリンク提供者向料金精算指示信号を料金精算指示受付管理処理部ｍ１８０１が受け、これを料金精算指示受付管理情報記憶部ｄ１８０１に記憶する。それぞれの利用料金は、その性格に応じて、次の各管理処理部で行われる。
【０１６７】
各リンク提供サーバ１４０の売上げは、サイト売上合計管理処理部ｍ１８１１で処理され、サイト売上合計管理情報記憶部ｄ１８１１に記憶される。各リンク提供サーバ１４０の利用料は、上記の該当する処理部と情報記憶部から利用料計算管理処理部ｍ１８１５で計算され、利用料計算管理情報記憶部ｄ１８１５に記憶される。
【０１６８】
利用料請求管理処理部ｍ１８１６は、利用料請求出力Ｏ１０２５を該当するリンク提供サーバ１４０宛に送出する。これは、利用料請求管理情報記憶部ｄ１８１６に記憶される。これにより、広告主がリンクを終了させた場合または設定期間ごとに、管理サーバ２０はリンク提供サーバ１４０に対して、利用者端末３０からのサービス利用成果に応じた利用料の支払請求を行う。利用料入金管理処理部ｍ１８１７は、リンク提供サーバ１４０からの入金があった場合、利用料請求管理情報記憶部ｄ１８１６の記憶と対照し、その結果を、利用料入金管理情報記憶部ｄ１８１７に記憶する。なお、本手段においても支払請求及び入金確認については、クレジットカード決済や電子マネー決済等の決済手段でも行うことができる。
【０１６９】
さらに、管理サーバ２０から利用者端末３０に支払われるリンク設定料は、金銭に限られず、それと同等の価値を有するサービスによる対価、例えば、本発明のシステムの他の機能を使用し、景品などと交換する場合のサービスポイント、本発明のシステムが開設する特別なウェブサイトを利用するためのアクセス権、本発明のシステムから提供されるソフトウェアを電気通信回線を通じてダウンロードするための許可権などであってもよい。
【０１７０】
次に図１５のリンク提供サイトへの再リンク手順を示すフローチャートに基づき、広告連続リンク指示管理処理部ｍ１３１１と連続リンク管理処理部ｍ１５２７におけるリンク提供サイトへの再リンク機能を説明する。
【０１７１】
広告配信タイム管理処理部ｍ１５０５から出される間欠的信号に基づき、ステップＳ１で、リンク許可確認指示信号を出す。ステップＳ２で、最終広告利用期限が終了しているか否かを判定する。ＮＯ（否）であれば、次のステップＳ４で、ページビューの設定カウント数（設定ＰＶ）またはバナークリックの設定カウント数（設定ＢＣ）が超過しているか否かを判定する。ＮＯ（否）であれば、次のステップＳ５で、広告在庫が終了しているか否かを判定する。ＮＯ（否）であれば、次のステップＳ６で、設定時間が終了しているか否かを判定する。ＮＯ（否）であれば、次のステップＳ７に移行する。ここまでの各ステップのいずれかで、ＹＥＳ（終了・超過）であれば、ステップＳ１０で連続リンク条件確認指示信号を出力し、ステップＳ１１で、連続リンク用広告登録が完了しているか否かを判定する。ＮＯ（否）であれば、ステップＳ１２でリンク停止指示を出す。ＹＥＳ（登録完了）であれば、ステップＳ１に戻る。
【０１７２】
ステップＳ７では、設定時間終了まで２４時間あるか否かを判定する。ＮＯ（否）であれば、次のステップＳ８で、設定ＰＶまたは設定ＢＣが８０％超過しているか否かを判定する。ＮＯ（否）であれば、次のステップＳ９で、広告在庫が残り１か否かを判定する。ＮＯ（否）であれば、ステップＳ１に戻る。
【０１７３】
もしステップＳ７，Ｓ８，Ｓ９のいずれかの判定が、ＹＥＳであれば、ステップＳ１３で連続リンク確認指示信号をリンクしている広告配信者端末１０に送る。また、ステップＳ７，Ｓ８，Ｓ９のいずれかの判定が、ＹＥＳであってもステップＳ１１に戻る。これによって、リンクしている広告配信者が、連続リンク用景品登録を行わない限り、いずれにしてもステップＳ１１の判定はＮＯとなり、ステップＳ１１で、リンク停止指示が出されることになる。
【０１７４】
（その他の実施形態）
上述した第１実施形態、第２実施形態において、利用者端末３０から利用されるゲーム部１１０は、３つの数値情報を管理サーバ内に登録された数値情報との一致によって当選・落選を確定するものであったが、例えば、当該ウェブサイト上のゲーム部１１０を設けずに、選択画面から広告出力画面に遷移した後に当選・落選の結果を出力する方式、広告情報出力中またはその後に当選・落選の結果を出力する方式をとることもできる。この場合、懸賞ゲーム管理情報記憶部ｄ１５１７に予め当選・落選を決定するプログラムを記憶させておけばよい。さらに、管理者や第３者が提供するオンラインゲーム等を利用して、当該当選・落選の結果を出力するようにすることもできるが、これらに限るものではない。
【０１７５】
また、当選者の決定を知らせる実施形態に関して、上述した第１実施形態、第２実施形態では広告出力部１２０に表示して利用者に知らせる実施形態としたが、別途利用者端末３０にポップアップを表示して知らせるようにしてもよい。さらに、カテゴリ詳細部８０は、プログラムとしてウェブサイトを閲覧するためのソフトウェアであるウェブブラウザや電子メールの購読、送受信を行うソフトウェアであるメーラーなどに組み込むことが可能である。したがって、利用者がカテゴリ詳細部８０のプログラムを上記ソフトウェアに組み込むことで、管理サーバ１４０やリンク提供サーバ１４０にアクセスしないでも、本システムを利用することができるようになる。
【０１７６】
さらに、広告情報の配信をメールの送信後に行う場合、利用者がメールの送信を見届けさえすれば、その後に配信される広告情報を見ない可能性がある。そこで、注意喚起などを利用者端末３０の表示画面に表示させ、広告情報の配信後に確定する当落の結果が表示されるまで、操作を待つように表示させることも可能である。これによって、当落の結果が表示されるまで利用者は広告情報を見ることとなる。また、利用者がメールの送信後であって、当落が表示される前に本発明のシステムとのアクセスを拒否する場合、当落した場合の権利は無効となるようにすることもできる。
【０１７７】
さらに、上述した第１実施形態、第２実施形態において広告情報を配信する場合、管理サーバ２０内に蓄積された広告情報を利用者端末３０に配信する実施形態としたが、広告情報をファイル化し、利用者端末３０にダウンロードさせ、利用者端末３０において当該ファイルを実行し、利用者に広告を閲覧させることもできる。これによって、管理サーバ２０から配信される広告情報を利用者が閲覧するタイミングと、利用者端末３０にダウンロードさせて広告情報を利用者が閲覧するタイミングのわずかなタイムラグが回避される。
【０１７８】
さらに、本発明は、上述した実施形態に限定されるものではなく、その要旨を逸脱しない範囲内で種々変形して実施することが可能である。例えば、第２実施形態において、リンク提供サーバ１４０に登録されている利用者が関心をもつ情報を管理サーバ２０がとりこみ、図８に示す選択画面を利用者端末３０に表示させず、図６に記載される初期画面から図９に示す広告出力画面へ遷移させ、利用者端末３０に表示させることもできる。
【産業上の利用可能性】
【０１７９】
本発明の懸賞情報を利用した広告配信システムまたは方法により、広告主の広告費削減、および、利用料無料による利用者の懸賞金または懸賞品の獲得によって、本システムの利用可能性が期待でき、産業上の利用可能性が高い。
【図面の簡単な説明】
【０１８０】
【図１】本発明による第１実施形態のシステム構成図である。
【図２】図１の第１実施形態における管理サーバ内の顧客情報管理処理手段，企業情報管理処理手段，広告情報登録処理手段とそれぞれのデータベースの構成を示す構成図である。
【図３】図１の第１実施形態における管理サーバ内の広告配信管理処理手段とそのデータベースの構成を示す構成図である。
【図４】図１の第１実施形態における管理サーバ内の賞金管理処理手段，当選者管理処理手段とそれぞれのデータベースの構成を示す構成図である。
【図５】図１の第１実施形態における管理サーバ内の広告主向料金管理処理手段とそのデータベースの構成を示す構成図である。
【図６】管理サーバが利用者端末に提供するウェブサイトの初期画面を示す概念図である。
【図７】カテゴリ詳細部の具体例を示す概念図である。
【図８】管理サーバが利用者端末に提供するウェブサイトの選択画面を示す概念図である。
【図９】管理サーバが利用者端末に提供するウェブサイトの広告出力画面を示す概念図である。
【図１０】広告出力部の画面遷移を示す概念図である。
【図１１】本発明による第２実施形態のシステム構成図である。
【図１２】図１１の第２実施形態における管理サーバ内のリンク提供サイト情報登録処理手段とそのデータベースの構成を示す構成図である。
【図１３】図１１の第２実施形態における管理サーバ内のリンク設定管理処理手段とそのデータベースの構成を示す構成図である。
【図１４】図１１の第２実施形態における管理サーバ内のリンク提供者向料金管理処理手段とそのデータベースの構成を示す構成図である。
【図１５】図１１の第２実施形態におけるリンク提供サイトへの再リンク手順を示すフローチャートである。
【図１６】従来のシステム動作の概念図である。
【符号の説明】
【０１８１】
１０  広告配信者端末、２０  管理サーバ、３０  利用者端末、３１  利用者携帯端末、５０  通信ネットワーク、６０  バナー広告部、６２  テキスト入力部、６４  検索開始部、７０  カテゴリ表示部、８０  カテゴリ詳細部、８１  カテゴリ詳細表示部、８２  賞金表示部、８３  権利者表示部、８４  配当金表示部、９０  選択部、９１  主選択部、９２  副選択部、１００  登録部、１１０  ゲーム部、１２０  広告出力部、１３０  関連サイト表示部、１４０  リンク提供サーバ、Ｍ１０  顧客情報管理処理手段、Ｍ１１  企業情報管理処理手段、Ｍ１２  リンク提供サイト情報登録処理手段、Ｍ１３  広告情報登録処理手段、Ｍ１４  リンク設定管理処理手段、Ｍ１５  広告配信管理処理手段、Ｍ１６  賞金管理処理手段、Ｍ１７  当選者管理処理手段、Ｍ１８  リンク提供者向料金管理処理手段、Ｍ１９  広告主向料金管理処理手段、Ｄ１０，Ｄ１１，Ｄ１２，Ｄ１３，Ｄ１４，Ｄ１５，Ｄ１６，Ｄ１７，Ｄ１８，Ｄ１９  データベース。
【図１】
2007066120.tif 000003
【図２】
2007066120.tif 000004
【図３】
2007066120.tif 000005
【図４】
2007066120.tif 000006
【図５】
2007066120.tif 000007
【図６】
2007066120.tif 000008
【図７】
2007066120.tif 000009
【図８】
2007066120.tif 000010
【図９】
2007066120.tif 000011
【図１０】
2007066120.tif 000012
【図１１】
2007066120.tif 000013
【図１２】
2007066120.tif 000014
【図１３】
2007066120.tif 000015
【図１４】
2007066120.tif 000016
【図１５】
2007066120.tif 000017
【図１６】
2007066120.tif 000018